(57)【要約】【課題】工事積算基準書情報と、工事積算システムのデータを一元的に管理できるシステムを提供すること。【解決手段】工事積算基準の改訂作業を効率的に行なうための積算基準改訂画面として、工事積算基準書と同等の表示を工事積算基準改訂システム上に登録する手段と、そこに表示された注釈文をシステムが解釈する手段と、条件項目、条件の選択項目、項目値項目や、項目値の関係を定義した計算式項目の相互の関係と、自身の属性とを合わせて自身の項目の属性とし画面上で定義する手段によって、工事積算基準書情報と工事積算システムのデータの一元的管理を可能にすることを特徴とした工事積算基準改訂装置。【選択図】　　　　図１
2004054868.tif 000002
【特許請求の範囲】
【請求項１】
工事積算基準の改訂作業を効率的に行なうための積算基準改訂画面として、工事積算基準書と同等の表示を工事積算基準改訂システム上に登録する手段と、そこに表示された注釈文をシステムが解釈する手段と、条件項目、条件の選択項目、項目値項目や、項目値の関係を定義した計算式項目の相互の関係と、自身の属性とを合わせて自身の項目の属性とし画面上で定義する手段によって、工事積算基準書情報と工事積算システムのデータの一元的管理を可能にすることを特徴とした工事積算基準改訂装置。
【発明の詳細な説明】
【０００１】
【発明の属する技術分野】
本発明は、工事積算基準書の積算基準改訂と工事積算システムの積算基準改訂作業に関し、両者の改訂情報を一元的に管理、改訂することの方法に関する。
【０００２】
【従来の技術】
工事積算基準書情報と工事積算システムのデータは、前者は書籍として利用することを目的とし、後者は工事積算システムで利用することを目的としている。両者は工事積算基準としては同じ内容であるが、情報の形態が異なるために、工事積算基準改訂作業を別々に行なっていた。また、両者の基準情報の共通する部分の関係付けが、手作業によっていた。
【０００３】
【発明が解決しようとする課題】
上記したように工事積算基準書の情報と工事積算システムのデータが二元的に管理されているため工事積算基準の改訂作業が二重に行なわれ非効率であり、また転記ミス等、データの二元化によって引き起こされる様々な問題が発生する可能性があった。本発明は、工事積算基準書情報の記述をほとんど変更することなく工事積算システムのデータを関連つけ、工事積算基準書情報と工事積算システムのデータを一元的に管理し表現する技術を提供することを目的とする。
【０００４】
【課題を解決するための手段】
工事積算基準の改訂作業を効率的に行なうための積算基準改訂画面として、工事積算基準書と同等の表示を工事積算基準改訂システム上に登録する手段と、そこに表示された注釈文をシステムが解釈する手段と、条件項目、条件の選択項目、項目値項目や、項目値の関係を定義した計算式項目の相互の関係と、自身の属性とを合わせて自身の項目の属性とし画面上で定義する手段によって、工事積算基準書情報と工事積算システムのデータを一元的に管理することを可能とするシステムである。
【０００５】
【発明の実施の形態】
本発明の請求項１記載の発明は、紙媒体として作成されている工事積算基準書情報を画面上に登録する手段と、工事積算基準書の注釈文を解釈する手段と、工事積算システムのデータのための項目属性定義の手段により、工事積算基準書情報と工事積算システムデータが一元化されたデータベースを作成することができる（図１）。以下図２で、工事積算基準書情報を画面上に登録する手段を、図３で、工事積算基準書の注釈文を解釈する手段を、図４−５で工事積算システムのデータのための項目属性定義の手段を詳細に説明する。図６−７では、作成されたデータベースによって、工事積算数量を求める手順を詳細に説明する
【０００６】
図２は、画面上に、工事積算基準書の一部を登録した例である。登録された項目の内、下線を引いた項目や注釈文は、工事積算システムで使用される情報を項目の属性として登録し、登録された属性は画面情報とともに工事積算基準改訂システムのデータベースに保存する。下線のない項目や、注釈文、罫線、表示位置、文字サイズなどの、直接工事積算システムで積算に利用されない情報は、そのまま工事積算基準改訂システムのデータベースに保存し工事積算基準書の印刷にのみ利用される。図２に示した例では、項目が罫線で囲まれた表の形式になっているが、項目の配置や罫線の有無は自由である。また、下線は図の説明のために用いたものである。
【０００７】
図３は注釈文をシステムが解釈する手段を説明している。工事積算基準書の注釈文が、工事積算システムのデータとして利用される場合、前半の「条件文」と後半の「結果文」に整理できること、条件文、結果文とも、項目の関係を定義することを目的にしていること、注釈文は一定の様式で表現可能であることに着目している。前半の条件文は、条件選択項目の一覧から目的の選択項目を選択して作成することができる（Ｓ１）。例では、選択した項目は１つであるが、項目が複数ある場合は繰り返し選択する。後半の結果文は条件選択項目の一覧から目的の項目を選択し、この項目が選択できるか、できないかを決定することで作成することができる（Ｓ２）。例では選択した項目は１つであるが、項目が複数ある場合は繰り返し選択する。こうして作成された文は、一般的な“Ｉｆ”、“Ｔｈｅｎ”を使用した式に変換することができる。“Ｉｆ”、“Ｔｈｅｎ”の形式に変換された式から、該当項目の項目属性を設問可能条件として生成する（Ｓ３）。図３を実現する画面は、必要に応じて表示する。
【０００８】
図４は、各項目に分類と、項目の属性を定義した例である。分類は項目の属性の一部であり、その項目自身の性格を定義している。図２で登録した項目に対応した属性を登録するための画面は必要に応じて表示する。図５は注釈文から生成された項目の属性を示している。属性に使用している変数「作業効率」「標準土工量」「土工量」は、別途システムに登録する画面を設ける。
【０００９】
図２、図３、図４、図５で登録されたデータにより工事積算数量である、土工量の歩掛を決定する手順は図６−７のようになる。図６では「条件Ａ」が呼ばれると、「条件Ａ＿選択項目１」と「条件Ａ＿選択項目２」と「条件Ａ＿選択項目３」が選択項目として表示される。「条件Ａ＿選択項目２」が選択されると、項目値「１．１」と「１．０」が絞り込まれると同時に項目値「２００」が確定され、変数「標準土工量」に代入される（Ｓ４）。次に「条件Ｂ」が呼ばれると、「条件Ｂ＿選択項目１」と「条件Ｂ＿選択項目２」が選択項目として表示される。「条件Ｂ＿選択項目２」が選択されると、項目値、「１．２」と「１．０」と「−」が絞り込まれる。この結果、「条件Ａ」と「条件Ｂ」によって絞り込まれた項目値「１．０」が、採用される項目値として、変数「標準作業効率」に代入される（Ｓ５）。最後に計算式「標準土工量＊作業効率」で計算された結果「２００＊１．０」＝２００が変数「土工量」代入され工事積算基準書情報に基づく歩掛計算が完了する（Ｓ６）。
【００１０】
図７では「条件Ａ」が呼ばれると、「条件Ａ＿選択項目１」と「条件Ａ＿選択項目２」と「条件Ａ＿選択項目３」が選択項目として表示される。「条件Ａ＿選択項目３」が選択されると、項目値「０．９」と「−」が絞り込まれると同時に項目値「２００」が確定され、変数「標準土工量」に代入される（Ｓ７）。次に「条件Ｂ」が呼ばれると、「条件Ｂ＿選択項目２」は、この項目の属性に設問可能条件［Ｎｏｔ（「条件Ａ」＝「条件Ａ＿選択項目３」）］があるため表示されず、「条件Ｂ＿選択項目１」のみが選択項目として表示される。「条件Ｂ＿選択項目１」が選択されると、項目値、「１．３」と「１．１」と「０．９」が絞り込まれる。この結果、「条件Ａ」と「条件Ｂ」によって絞り込まれた項目値「０．９」が、採用される項目値として、変数「標準作業効率」に代入される（Ｓ８）。最後に計算式「標準土工量＊作業効率」で計算された結果「２００＊０．９」＝１８０が変数「土工量」代入され工事積算基準書情報に基づく歩掛計算が完了する（Ｓ９）。
【００１１】
【発明の効果】
以上のようにして工事積算基準を一元的に管理することで、二重に行なう作業が無くなり効率的な作業が可能になるとともに、転記ミス等、データの二元化によって引き起こされる様々な問題も防ぐことができるという効果がある。また、注釈文の解釈をシステムで行い、注釈文とこれに対応する式を同時に作成しこれから項目の属性を生成するため、注釈文の意味の取り違えによる工事積算システムのデータの作成ミスを防ぐことができるという効果もある。また全ての項目の関係は、それぞれの項目の属性として定義されるため、項目の見かけ上の位置関係がどのように表現されていても、工事積算システムのデータを工事積算基準書情報に対応させて定義することができる。そのため、工事積算基準書情報をほとんど変更することなしに、工事積算システムのデータとの一元化を図ることができるという効果もある。また、このシステムに入力された工事積算基準書情報は、工事積算基準書として印刷することができるという効果もある。
【図面の簡単な説明】
【図１】本発明の要素と作成されるデータベースの関係の説明図である。
【図２】工事積算基準書情報の登録例の説明図である。
【図３】図２「注２」の注釈文をシステムが解釈する方法の説明図である。
【図４】項目属性の説明図である。
【図５】注釈文による項目属性の説明図である。
【図６】登録された項目属性により工事積算数量を求める手順例を示した説明図（１）である。
【図７】登録された項目属性により工事積算数量を求める手順例を示した説明図（２）である。
【符号の説明】
１０　工事積算基準情報と工事積算システムデータが一元化されたデータベース
２０　工事積算基準書情報を登録する手段
３０　工事積算基準書情報注釈文を解釈する手段
４０　工事積算システムデータのための項目属性定義の手段
【図１】
2004054868.tif 000003
【図２】
2004054868.tif 000004
【図３】
2004054868.tif 000005
【図４】
2004054868.tif 000006
【図５】
2004054868.tif 000007
【図６】
2004054868.tif 000008
【図７】
2004054868.tif 000009